(57)【要約】【課題】  本発明は、リップル除去率の低下を回避する。【解決手段】  本発明は、基準生成用電圧Ｖ２を第１５乃至第１９の分圧抵抗Ｚ１５乃至Ｚ１９を介して分圧して基準電圧Ｖｒｅｆ１０を生成し差動増幅器Ａ１０に供給する分圧手段１２と、当該差動増幅器Ａ１０の入力端子に接続されたフィルタ用コンデンサＣ１１とを設け、当該フィルタ用コンデンサＣ１１と、第３のノードＮ３から分圧点Ｐ１１、……、Ｐ１３又はＰ１４までの第１５の抵抗Ｚ１５、……、第１７の抵抗Ｚ１７又は第１８の抵抗Ｚ１８とにより低域通過フィルタＬＰ１、……、ＬＰ３又はＬＰ４を形成する。よって基準生成用電圧Ｖ２から電源ノイズを除去した基準電圧Ｖｒｅｆ１０を得て電源出力を生成でき、リップル除去率の低下を回避し得る電圧電源回路１０を実現できる。【選択図】        図１
2006155100.tif 000002
【特許請求の範囲】
【請求項１】
基準電圧と、出力電圧を分圧して得られる分圧電圧とを差動増幅器に供給し、当該差動増幅器により上記基準電圧と上記分圧電圧との差電圧に基づいて出力制御器を制御して電源出力を生成する電源回路において、
基準生成用電圧の電圧供給点に接続された複数の分圧抵抗を有し、上記電圧供給点に供給される上記基準生成用電圧を上記複数の分圧抵抗を介して、任意に選定された分圧比で分圧することにより上記基準電圧を生成して上記差動増幅器の入力端子に供給する分圧手段と、
上記差動増幅器の上記入力端子に一端が接続され、他端が所定電位のノードに接続されたコンデンサと
を具え、
上記コンデンサと、上記電圧供給点から上記基準生成用電圧に対する分圧点までの間に設けられた上記分圧抵抗とにより低域通過フィルタを形成する
ことを特徴とする電源回路。
【請求項２】
上記低域通過フィルタは、
カットオフ周波数が、上記差動増幅器の動作帯域に対しリップル除去率が急激に悪化し始める周波数とほぼ同じ周波数に選定された
ことを特徴とする請求項１に記載の電源回路。
【請求項３】
上記分圧手段は、
上記基準生成用電圧に対する分圧比を切り替えるための分圧比切替スイッチと、
上記分圧比切替スイッチを開閉制御する開閉制御手段と
を具え、
上記コンデンサは、
容量が、上記分圧比切替スイッチ及び上記開閉制御手段に存在する寄生容量よりも大きい値に選定された
ことを特徴とする請求項１に記載の電源回路。
【発明の詳細な説明】
【技術分野】
【０００１】
本発明は電源回路に関し、例えば携帯電話機やＰＤＡ（Personal Digital Assistance ）等の種々の機器に設けられ、電源出力である出力電圧の定電圧値に対する設定を可変し得る電圧電源回路に適用して好適なものである。
【背景技術】
【０００２】
図５に示すように、従来の第１の電圧電源回路１は、差動増幅器Ａ１の出力端子が出力トランジスタＱ１のゲートに接続されている。また出力トランジスタＱ１は、バッテリー等の電圧源から供給される入力電圧Ｖｉｎの入力端子Ｔｉｎ１にソースが接続されると共に、第１の電圧電源回路１の出力端子Ｔｏｕｔ１にドレインが接続されている。さらに出力端子Ｔｏｕｔ１とグランド電位Ｖｓｓの接地点との間には、出力コンデンサＣ１と負荷Ｌ１とが並列に接続されている。また出力端子Ｔｏｕｔ１と接地点との間には、当該出力端子Ｔｏｕｔ１で発生する出力電圧Ｖｏｕｔ１を差動増幅器Ａ１への帰還用に分圧するための複数の第１乃至第５の抵抗（以下、これを第１乃至第５の帰還抵抗と呼ぶ）Ｚ１乃至Ｚ５が直列に接続されている。さらに接地点に最も近い第５の帰還抵抗Ｚ５と、当該第５の帰還抵抗Ｚ５に隣接する第４の帰還抵抗Ｚ４との接続中点は、出力電圧Ｖｏｕｔ１を分圧するための分圧点Ｐ１として差動増幅器Ａ１の非反転入力端子に接続されている。
【０００３】
そして差動増幅器Ａ１の反転入力端子には、出力電圧Ｖｏｕｔ１を生成するときの基準となる基準電圧Ｖｒｅｆ１が入力される。また差動増幅器Ａ１の非反転入力端子には、第１乃至第５の帰還抵抗Ｚ１乃至Ｚ５において分圧点Ｐ１よりも出力端子Ｔｏｕｔ１側の第１の抵抗値と、当該分圧点Ｐ１よりも接地点側の第２の抵抗値（すなわち、第５の帰還抵抗Ｚ５の抵抗値である）との比（すなわち、分圧比）で出力電圧Ｖｏｕｔ１を分圧して得られる分圧電圧Ｖｚ１が入力される。
【０００４】
従って差動増幅器Ａ１は、基準電圧Ｖｒｅｆ１と分圧電圧Ｖｚ１との差電圧を増幅し、当該増幅した差電圧を制御信号とし出力トランジスタＱ１のゲートに供給して当該出力トランジスタＱ１のオン抵抗を増減させて制御する。出力トランジスタＱ１は、制御信号によるオン抵抗の制御に応じて、ドレイン・ソース間に流すドレイン・ソース間電流の電流値を制御する。これにより第１の電圧電源回路１は、出力トランジスタＱ１に流れるドレイン・ソース間電流に応じて出力端子Ｔｏｕｔ１で定電圧値の出力電圧Ｖｏｕｔ１を発生し、かかる出力電圧Ｖｏｕｔ１を負荷Ｌ１に供給する。
【０００５】
ところで第１の電圧電源回路１は、第１乃至第５の帰還抵抗Ｚ１乃至Ｚ５のうち、第５の帰還抵抗Ｚ５、及び出力端子Ｔｏｕｔ１に最も近い第１の帰還抵抗Ｚ１以外の第２乃至第４の帰還抵抗Ｚ２乃至Ｚ４に対し、それぞれ分圧比切替スイッチＳＷ１乃至ＳＷ３が並列に接続されている。
【０００６】
マルチプレクサＭＵＸ１は、外部から与えられる制御信号Ｄ１又はＤ２に応じて分圧比切替スイッチＳＷ１乃至ＳＷ３の開閉を制御する。これによりマルチプレクサＭＵＸ１は、分圧比切替スイッチＳＷ１乃至ＳＷ３を開いたとき、第１の帰還抵抗Ｚ１に流れる電流を、当該開いた分圧比切替スイッチＳＷ１乃至ＳＷ３と並列な第２乃至第４の帰還抵抗Ｚ２乃至Ｚ４を介して第５の帰還抵抗Ｚ５に流すようにする。これに対してマルチプレクサＭＵＸ１は、分圧比切替スイッチＳＷ１乃至ＳＷ３を閉じたとき、第１の帰還抵抗Ｚ１に流れる電流を第２乃至第４の帰還抵抗Ｚ２乃至Ｚ４に通さずに当該閉じた分圧比切替スイッチＳＷ１乃至ＳＷ３に迂回させ第５の帰還抵抗Ｚ５に流すようにする。
【０００７】
このようにしてマルチプレクサＭＵＸ１は、出力端子Ｔｏｕｔ１及び分圧点Ｐ１間で任意に選定された全て又は１部の第１乃至第４の帰還抵抗Ｚ１乃至Ｚ４のみを出力電圧Ｖｏｕｔ１の分圧に用いるようにして、当該出力端子Ｔｏｕｔ１及び分圧点Ｐ１間の第１の抵抗値（すなわち、出力端子Ｔｏｕｔ１及び分圧点Ｐ１間の帰還抵抗の合成抵抗値）を可変する。その結果、マルチプレクサＭＵＸ１は、第１の抵抗値に対する任意の選定に応じて、（１）式
【０００８】
【数１】
2006155100.tif 000003
【０００９】
で表されるように、出力電圧Ｖｏｕｔ１に対する分圧比Ｐａの設定を可変する。ただし（１）式では、分圧点Ｐ１よりも出力端子Ｔｏｕｔ１側の第１の抵抗値をＲ１とし、当該分圧点Ｐ１よりも接地点側の第２の抵抗値をＲ２としている。従って第１の電圧電源回路１では、分圧比Ｐａの設定に応じて（２）式
【００１０】
【数２】
2006155100.tif 000004
【００１１】
で表されるように、かかる分圧比Ｐａの逆数でなる差動増幅器Ａ１のゲインＧの設定も可変される。これにより差動増幅器Ａ１は、分圧電圧Ｖｚ１を基準電圧Ｖｒｅｆ１とほぼ等しくするように出力トランジスタＱ１のオン抵抗を制御し、かくして（３）式
【００１２】
【数３】
2006155100.tif 000005
【００１３】
で表されるように、基準電圧Ｖｒｅｆ１をゲインＧ倍してなる定電圧値の出力電圧Ｖｏｕｔ１を生成する。
【００１４】
このようにしてかかる第１の電圧電源回路１は、第１の抵抗値Ｒ１を増減させて差動増幅器Ａ１のゲインＧと共に出力電圧Ｖｏｕｔ１の定電圧値に対する設定を可変している。
【００１５】
また図６に示すように、従来の第２の電圧電源回路２は、第１の電圧電源回路１と同様に、差動増幅器Ａ２の出力端子が出力トランジスタＱ２のゲートに接続されている。また出力トランジスタＱ２は、電圧源から供給される入力電圧Ｖｉｎの入力端子Ｔｉｎ２にソースが接続されると共に、第２の電圧電源回路２の出力端子Ｔｏｕｔ２にドレインが接続されている。さらに出力端子Ｔｏｕｔ２とグランド電位Ｖｓｓの接地点との間には、出力コンデンサＣ２と負荷Ｌ２とが並列に接続されている。また出力端子Ｔｏｕｔ２と接地点との間には、当該出力端子Ｔｏｕｔ２で発生する出力電圧Ｖｏｕｔ２を差動増幅器Ａ２への帰還用に分圧するための複数の第６乃至第１０の帰還抵抗Ｚ６乃至Ｚ１０が直列に接続されている。
【００１６】
ただし第２の電圧電源回路２の場合、第６及び第７の帰還抵抗Ｚ６及びＺ７の接続中点と、第７及び第８の帰還抵抗Ｚ７及びＺ８の接続中点と、第８及び第９の帰還抵抗Ｚ８及びＺ９の接続中点と、第９及び第１０の帰還抵抗Ｚ９及びＺ１０の接続中点とは、それぞれ任意に選定可能な分圧点Ｐ６乃至Ｐ９であり、分圧比切替スイッチＳＷ６乃至ＳＷ９を介し差動増幅器Ａ２の非反転入力端子に接続されている。
【００１７】
マルチプレクサＭＵＸ２は、外部から与えられる制御信号Ｄ３又はＤ４に応じて分圧比切替スイッチＳＷ６乃至ＳＷ９の開閉を制御して、何れか１つの分圧比切替スイッチＳＷ６、……、ＳＷ８又はＳＷ９のみを閉じるようにする。これによりマルチプレクサＭＵＸ２は、出力端子Ｔｏｕｔ２及びグランド電位Ｖｓｓの接地点間で、出力電圧Ｖｏｕｔ２の分圧に全ての第６乃至第１０の帰還抵抗Ｚ６乃至Ｚ１０を用いつつ、任意に選定された１つの分圧点Ｐ６、……、Ｐ８又はＰ９から出力端子Ｔｏｕｔ２までの第３の抵抗値（すなわち、出力端子Ｔｏｕｔ２及び分圧点Ｐ６、……、Ｐ８又はＰ９間の帰還抵抗の合成抵抗値）と当該１つの分圧点Ｐ６、……、Ｐ８又はＰ９から接地点までの第４の抵抗値（すなわち、接地点及び分圧点Ｐ６、……、Ｐ８又はＰ９間の帰還抵抗の合成抵抗値）との比（すなわち、出力電圧Ｖｏｕｔ２の分圧比）に対する設定を可変する。このため第２の電圧電源回路２でも、出力電圧Ｖｏｕｔ２に対する分圧比の設定に応じて、かかる分圧比の逆数でなる差動増幅器Ａ２のゲインの設定を可変する。
【００１８】
そして差動増幅器Ａ２の反転入力端子には、出力電圧Ｖｏｕｔ２を生成するときの基準となる基準電圧Ｖｒｅｆ２が入力される。また差動増幅器Ａ２の非反転入力端子には、第６乃至第１０の帰還抵抗Ｚ６乃至Ｚ１０において分圧点Ｐ６、……、Ｐ８又はＰ９よりも出力端子Ｔｏｕｔ２側の第３の抵抗値と、当該分圧点Ｐ６、……、Ｐ８又はＰ９よりも接地点側の第４の抵抗値との比（すなわち、分圧比）で出力電圧Ｖｏｕｔ２を分圧して得られる分圧電圧Ｖｚ２が入力される。
【００１９】
従って差動増幅器Ａ２は、基準電圧Ｖｒｅｆ２と分圧電圧Ｖｚ２との差電圧を増幅し、当該増幅した差電圧を制御信号として出力トランジスタＱ２のオン抵抗を制御する。出力トランジスタＱ２は、制御信号によるオン抵抗の制御に応じてドレイン・ソース間電流の電流値を制御する。これにより第２の電圧電源回路２は、出力トランジスタＱ２に流れるドレイン・ソース間電流に応じて出力端子Ｔｏｕｔ２で定電圧値の出力電圧Ｖｏｕｔ２を発生し、かかる出力電圧Ｖｏｕｔ２を負荷Ｌ２に供給する。
【００２０】
このようにして第２の電圧電源回路２は、第３及び第４の抵抗値の比を可変することで差動増幅器Ａ２のゲインと共に出力電圧Ｖｏｕｔ２の定電圧値に対する設定を可変可能にしている。そして第２の電圧電源回路２は、このように出力電圧Ｖｏｕｔ２の定電圧値が設定された状態で、差動増幅器Ａ２により、分圧電圧Ｖｚ２を基準電圧Ｖｒｅｆ２とほぼ等しくするように出力トランジスタＱ２のオン抵抗を制御して、上述した（３）式と同様に基準電圧Ｖｒｅｆ２をゲイン倍してなる当該定電圧値の出力電圧Ｖｏｕｔ２を生成している（例えば、特許文献１参照）。
【特許文献１】特開２００３−３３０５５１公報（第４頁乃至第８頁、図１乃至図４）
【発明の開示】
【発明が解決しようとする課題】
【００２１】
ところでかかる構成の第１及び第２の電圧電源回路１及び２に対しては、負荷Ｌ１及びＬ２を安定的に動作させるために、出力電圧Ｖｏｕｔ１及びＶｏｕｔ２に生じるリップル（すなわち、脈動）を低減させるようにして、第１及び第２の電圧電源回路１及び２の入力側のリップルに対する出力側のリップルの比を示すリップル除去率を極力高くすることが要求されている。
【００２２】
ところが第１及び第２の電圧電源回路１及び２には、例えば電圧源から供給される入力電圧Ｖｉｎから生成された基準電圧Ｖｒｅｆ１及びＶｒｅｆ２が供給されている。そして第１及び第２の電圧電源回路１及び２は、かかる基準電圧Ｖｒｅｆ１及びＶｒｅｆ２に対し電圧源の入力電圧Ｖｉｎに生じていたノイズ（以下、これを特に電源ノイズと呼ぶ）が残っていると、かかる電源ノイズが差動増幅器Ａ１及びＡ２で増幅され出力電圧Ｖｏｕｔ１及びＶｏｕｔ２にリップルとして現れる。このため第１及び第２の電圧電源回路１及び２は、基準電圧Ｖｒｅｆ１及びＶｒｅｆ２に対し電源ノイズが生じている場合、リップル除去率（すなわち、電源電圧変動除去比（PSRR:Power Supply Rejection Ratio）であり、以下、これを単にＰＳＲＲと呼ぶ）が大幅に低下するという問題があった。
【００２３】
本発明は以上の点を考慮してなされたもので、基準生成用電圧に対し電源ノイズが生じていてもリップル除去率の低下を回避し得る電源回路を提案しようとするものである。
【課題を解決するための手段】
【００２４】
かかる課題を解決するため本発明においては、基準電圧と、出力電圧を分圧して得られる分圧電圧とを差動増幅器に供給し、当該差動増幅器により基準電圧と分圧電圧との差電圧に基づいて出力制御器を制御して電源出力を生成する電源回路において、基準生成用電圧の電圧供給点に接続された複数の分圧抵抗を有し、電圧供給点に供給される基準生成用電圧を複数の分圧抵抗を介して、任意に選定された分圧比で分圧することにより基準電圧を生成して差動増幅器の入力端子に供給する分圧手段と、差動増幅器の入力端子に一端が接続され、他端が所定電位のノードに接続されたコンデンサとを設けるようにし、当該コンデンサと、電圧供給点から基準生成用電圧に対する分圧点までの間に設けられた分圧抵抗とにより低域通過フィルタを形成するようにした。
【００２５】
従って本発明では、基準生成用電圧を分圧手段の複数の分圧抵抗を介して分圧することで、当該基準生成用電圧に生じている電源ノイズを低減させた基準電圧を得ると共に、その基準電圧に残っている電源ノイズを低域通過フィルタにより除去して差動増幅器の入力端子に供給することができる。その結果、本発明では、電源ノイズの除去された基準電圧と、分圧電圧との差電圧に基づいて電源出力を生成することができ、かくして基準生成用電圧に生じている電源ノイズの影響で電源出力に対しリップルが生じることを回避することができる。
【発明の効果】
【００２６】
本発明によれば、基準電圧と、出力電圧を分圧して得られる分圧電圧とを差動増幅器に供給し、当該差動増幅器により基準電圧と分圧電圧との差電圧に基づいて出力制御器を制御して電源出力を生成する電源回路において、基準生成用電圧の電圧供給点に接続された複数の分圧抵抗を有し、電圧供給点に供給される基準生成用電圧を複数の分圧抵抗を介して、任意に選定された分圧比で分圧することにより基準電圧を生成して差動増幅器の入力端子に供給する分圧手段と、差動増幅器の入力端子に一端が接続され、他端が所定電位のノードに接続されたコンデンサとを設けるようにし、当該コンデンサと、電圧供給点から基準生成用電圧に対する分圧点までの間に設けられた分圧抵抗とにより低域通過フィルタを形成するようにしたことにより、基準生成用電圧から分圧及び低域通過フィルタにより電源ノイズを除去した基準電圧を得て差動増幅器の入力端子に供給し、当該電源ノイズを除去した基準電圧と、分圧電圧との差電圧に基づいて電源出力を生成することができ、かくして基準生成用電圧に対し電源ノイズが生じていてもリップル除去率の低下を回避し得る電源回路を実現することができる。
【発明を実施するための最良の形態】
【００２７】
以下図面について、本発明の一実施の形態を詳述する。
【００２８】
図１において、１０は全体として本発明による電圧電源回路１０を示し、定電圧生成部１１と、当該定電圧生成部１１の前段に配置されたデジタルアナログ変換器の機能を有する分割抵抗型の基準電圧値設定部１２とから構成されている。
【００２９】
この場合、定電圧生成部１１は、オペアンプでなる差動増幅器Ａ１０を有し、当該差動増幅器Ａ１０の出力端子が、ＰチャネルＭＯＳ（Metal Oxide Semiconductor ）型の出力トランジスタＱ１０のゲートに接続されている。また出力トランジスタＱ１０は、図示しないバッテリー等の電圧源から供給される入力電圧Ｖｉｎの入力端子Ｔｉｎ１０にソースが接続されると共に、電圧電源回路１０の出力端子Ｔｏｕｔ１０にドレインが接続されている。
【００３０】
さらに出力端子Ｔｏｕｔ１０とグランド電位Ｖｓｓの接地点との間には、出力コンデンサＣ１０と負荷Ｌ１０とが並列に接続されている。また出力端子Ｔｏｕｔ１０と接地点との間には、当該出力端子Ｔｏｕｔ１０で発生する電源出力としての出力電圧Ｖｏｕｔ１０を差動増幅器Ａ１０への帰還用に分圧するための複数の第１１及び第１２の帰還抵抗Ｚ１１乃至Ｚ１２が直列に接続されている。さらに第１１及び第１２の帰還抵抗Ｚ１１乃至Ｚ１２の接続中点は、出力電圧Ｖｏｕｔ１０を分圧するための固定の分圧点Ｐ１０として差動増幅器Ａ１０の非反転入力端子に接続されている。従って差動増幅器Ａ１０は、出力端子Ｔｏｕｔ１０及び接地点間で第１１及び第１２の帰還抵抗Ｚ１１及びＺ１２が分圧点Ｐ１０を替えずに固定的に用いられることにより、これに応じてゲインも固定値として設定されている。
【００３１】
そして差動増幅器Ａ１０は、第１の電位の第１のノードＮ１と、当該第１の電位よりも低い第２の電位（例えばグランド電位）の第２のノードＮ２とに接続され、電圧源等から第１のノードＮ１を介して供給される所定電圧Ｖ１により動作する。この場合、差動増幅器Ａ１０の反転入力端子には、出力電圧Ｖｏｕｔ１０を生成するときの基準となる基準電圧Ｖｒｅｆ１０が入力される。また差動増幅器Ａ１０の非反転入力端子には、第１１及び第１２の帰還抵抗Ｚ１１乃至Ｚ１２において分圧点Ｐ１０よりも出力端子Ｔｏｕｔ１０側の第１１の帰還抵抗Ｚ１１の抵抗値と、当該分圧点Ｐ１０よりも接地点側の第１２の帰還抵抗Ｚ１２の抵抗値との比（すなわち、分圧比）で出力電圧Ｖｏｕｔ１０を分圧して得られる分圧電圧Ｖｚ１０が入力される。
【００３２】
従って差動増幅器Ａ１０は、基準電圧Ｖｒｅｆ１０と分圧電圧Ｖｚ１０との差電圧を増幅し、当該増幅した差電圧を制御信号とし出力トランジスタＱ１０のゲートに供給して当該出力トランジスタＱ１０のオン抵抗を増減させて制御する。出力トランジスタＱ１０は、制御信号によるオン抵抗の制御に応じて、ドレイン・ソース間に流すドレイン・ソース間電流の電流値を制御する。これにより電圧電源回路１０は、出力トランジスタＱ１０に流れるドレイン・ソース間電流により出力コンデンサＣ１０を充電するようにして出力端子Ｔｏｕｔ１０において定電圧値の出力電圧Ｖｏｕｔ１０を発生し、かかる出力電圧Ｖｏｕｔ１０を負荷Ｌ１０に供給する。
【００３３】
そして電圧電源回路１０は、出力端子Ｔｏｕｔ１０において設定通りの定電圧値の出力電圧Ｖｏｕｔ１０を発生している状態で、例えば負荷Ｌ１０が過渡的に増加すると、出力コンデンサＣ１０に充電していた電荷を当該負荷Ｌ１０に放出する。その結果、電圧電源回路１０は、出力電圧Ｖｏｕｔ１０の電圧値が低下すると、かかる出力電圧Ｖｏｕｔ１０の電圧値の低下を分圧電圧Ｖｚ１０として差動増幅器Ａ１０に帰還させる。従って電圧電源回路１０は、差動増幅器Ａ１０により基準電圧Ｖｒｅｆ１０と分圧電圧Ｖｚ１０との差電圧の変化に応じて出力トランジスタＱ１０のオン抵抗を制御する。これにより電圧電源回路１０は、出力電圧Ｖｏｕｔ１０に対する電圧値の低下を補うように出力トランジスタＱ１０に流れるドレイン・ソース間電流を大きくして出力コンデンサＣ１０を充電し、かくして出力電圧Ｖｏｕｔ１０の電圧値を増加させる。
【００３４】
このようにして電圧電源回路１０は、差動増幅器Ａ１０に対する第１１及び第１２の帰還抵抗Ｚ１１及びＺ１２を経由した帰還ループにより、順次出力電圧Ｖｏｕｔ１０の電圧値を分圧電圧Ｖｚ１０の電圧値として検出しながら、その検出結果に応じて（すなわち、基準電圧Ｖｒｅｆ１０と分圧電圧Ｖｚ１０との差電圧に基づいて）出力トランジスタＱ１０のオン抵抗を制御する。そして電圧電源回路１０は、出力電圧Ｖｏｕｔ１０の電圧値が設定通りの定電圧値に戻ると、当該出力電圧Ｖｏｕｔ１０の定電圧値も分圧電圧Ｖｚ１０の電圧値として検出して差動増幅器Ａ１０に帰還させる。従って電圧電源回路１０は、このとき差動増幅器Ａ１０により基準電圧Ｖｒｅｆ１０と、定電圧値の出力電圧Ｖｏｕｔ１０を分圧して得られた分圧電圧Ｖｚ１０との差電圧に基づいて出力トランジスタＱ１０のオン抵抗を制御する。これにより電圧電源回路１０は、出力トランジスタＱ１０に流れるドレイン・ソース間電流と、出力端子Ｔｏｕｔ１０から負荷Ｌ１０に流れる負荷電流との差分を小さくして出力コンデンサＣ１０を設定電圧に充電し、かくして出力端子Ｔｏｕｔ１０で発生した出力電圧Ｖｏｕｔ１０の定電圧値を維持するようにする。
【００３５】
かかる構成に加えてこの電圧電源回路１０の場合、基準電圧値設定部１２は、これよりも前段の電圧源やバンドギャップリファレンス回路、又は他の電圧電源回路等の電圧供給回路（図示せず）から、基準電圧Ｖｒｅｆ１０の生成に用いる所定電圧値の電圧（以下、これを基準生成用電圧と呼ぶ）Ｖ２が供給される電圧供給点として第３の電位の第３のノードＮ３を有している。そして基準電圧値設定部１２は、かかる第３のノードＮ３と、第３の電位よりも低い第４の電位（例えばグランド電位）の第４のノードＮ４との間に、基準生成用電圧Ｖ２を分圧するための複数の第１５乃至第１９の抵抗（以下、これを第１５乃至第１９の分圧抵抗と呼ぶ）Ｚ１５乃至Ｚ１９が直列に接続されている。
【００３６】
また基準電圧値設定部１２において互いに隣接する第１５乃至第１９の分圧抵抗Ｚ１５乃至Ｚ１９間の各接続中点（すなわち、第１５及び第１６の分圧抵抗Ｚ１５及びＺ１６の接続中点、第１６及び第１７の分圧抵抗Ｚ１６及びＺ１７の接続中点、第１７及び第１８の分圧抵抗Ｚ１７及びＺ１８の接続中点、第１８及び第１９の分圧抵抗Ｚ１８及びＺ１９の接続中点）は、それぞれ基準生成用電圧Ｖ２に対する任意に選定可能な分圧点Ｐ１１乃至Ｐ１４であり、分圧比切替スイッチＳＷ１０乃至ＳＷ１３を介して差動増幅器Ａ１０の反転入力端子に接続されている。
【００３７】
そして基準電圧値設定部１２に設けられたマルチプレクサＭＵＸ１０は、外部から与えられる制御信号Ｄ５又はＤ６に応じて分圧比切替スイッチＳＷ１０乃至ＳＷ１３の開閉を制御して、何れか１つの分圧比切替スイッチＳＷ１０、……、ＳＷ１２又はＳＷ１３のみを閉じるようにする。これによりマルチプレクサＭＵＸ１０は、第３及び第４のノードＮ３及びＮ４間で基準生成用電圧Ｖ２の分圧に全ての第１５乃至第１９の分圧抵抗Ｚ１５乃至Ｚ１９を用いつつ、何れか１つの分圧比切替スイッチＳＷ１０、……、ＳＷ１２又はＳＷ１３の接点を閉じることで任意に選定された１つの分圧点Ｐ１１、……、Ｐ１３又はＰ１４から第３のノードＮ３までの第５の抵抗値（すなわち、第３のノードＮ３及び分圧点Ｐ１１、……、Ｐ１３又はＰ１４間の分圧抵抗の合成抵抗値）と当該１つの分圧点Ｐ１１、……、Ｐ１３又はＰ１４から第４のノードＮ４までの第６の抵抗値（すなわち、第４のノードＮ４及び分圧点Ｐ１１、……、Ｐ１３又はＰ１４間の分圧抵抗の合成抵抗値）との比（すなわち、基準生成用電圧Ｖ２に対する分圧比）の設定を可変する。
【００３８】
従って差動増幅器Ａ１０の反転入力端子には、基準電圧値設定部１２から、任意に選定された分圧点Ｐ１１、……、Ｐ１３又はＰ１４よりも第３のノードＮ３側の第５の抵抗値と、当該分圧点Ｐ１１、……、Ｐ１３又はＰ１４よりも第４のノードＮ４側の第６の抵抗値との比（すなわち、分圧比）で基準生成用電圧Ｖ２を分圧して得られる分圧電圧が基準電圧Ｖｒｅｆ１０として入力される。そして電圧電源回路１０は、差動増幅器Ａ１０のゲインが固定値として設定されていることにより、基準電圧値設定部１２で設定される基準電圧Ｖｒｅｆ１０の基準電圧値に応じて出力電圧Ｖｏｕｔ１０の定電圧値に対する設定を可変している。
【００３９】
ところで一般に差動増幅器は、例えば図２に示すように、０から所定周波数（以下、これを帯域最大周波数と呼ぶ）ｆ２までの帯域（以下、これを動作帯域と呼ぶ）で、基準電圧と、分圧電圧との差電圧を増幅する場合、当該基準電圧Ｖｒｅｆ１及びＶｒｅｆ２に電源ノイズが生じていると、差動増幅器内部の構成等に起因して、当該動作帯域内の所定周波数（以下、これを特性変化周波数と呼ぶ）から帯域最大周波数ｆ２までの間で基準電圧に対するＰＳＲＲを急激に悪化させる（すなわち、基準電圧に生じている電源ノイズを増幅させる）ような動作特性を有している。そして従来の第１及び第２の電圧電源回路１（図５）及び２（図６）では、基準電圧Ｖｒｅｆ１及びＶｒｅｆ２に電源ノイズが生じていると、このような動作特性を有する差動増幅器Ａ１及びＡ２が当該基準電圧Ｖｒｅｆ１及びＶｒｅｆ２と、分圧電圧Ｖｚ１及びＶｚ２との差電圧をそのままゲイン倍している。従って第１及び第２の電圧電源回路１及び２では、差動増幅器Ａ１及びＡ２でゲイン倍した差電圧に基づき出力電圧Ｖｏｕｔ１及びＶｏｕｔ２を生成しており、その結果、基準電圧Ｖｒｅｆ１及びＶｒｅｆ２と共に出力電圧Ｖｏｕｔ１及びＶｏｕｔ２のＰＳＲＲも急激に悪化していた（すなわち、出力電圧Ｖｏｕｔ１及びＶｏｕｔ２に生じるリップルを増加させていた）。
【００４０】
このため定電圧生成部１１は、差動増幅器Ａ１０の反転入力端子に、コンデンサ（以下、これを特にフィルタ用コンデンサと呼ぶ）Ｃ１１の一端が接続されると共に、当該フィルタ用コンデンサＣ１１の他端が第３の電位よりも低い第５の電位（例えばグランド電位）の第５のノードＮ５に接続されている。これにより図３（Ａ）乃至図４（Ｂ）に示すように、電圧電源回路１０では、基準電圧値設定部１２における第３のノードＮ３から、任意に選定された分圧点Ｐ１１、……、Ｐ１３又はＰ１４までの第１５の分圧抵抗Ｚ１５、……、第１７の分圧抵抗Ｚ１７又は第１８の分圧抵抗Ｚ１８と、フィルタ用コンデンサＣ１１とが低域通過フィルタ（LPF:Low Pass Filter ）ＬＰ１、……、ＬＰ３又はＬＰ４を形成している。
【００４１】
そしてフィルタ用コンデンサＣ１１は、第３のノードＮ３及び分圧点Ｐ１１、……、Ｐ１３又はＰ１４間の第１５の分圧抵抗Ｚ１５、……、第１７の分圧抵抗Ｚ１７又は第１８の分圧抵抗Ｚ１８とにより、例えば差動増幅器Ａ１０においてＰＳＲＲが急激に悪化し始める特性変化周波数付近の周波数をカットオフ周波数ｆ１とするように容量が選定されている。ただし電圧電源回路１０では、基準電圧値設定部１２において何れの分圧点Ｐ１１乃至Ｐ１４が選定されるかにより、第３のノードＮ３と当該選定された分圧点Ｐ１１、……、Ｐ１３又はＰ１４との間の分圧抵抗の合成抵抗値が変化する。
【００４２】
かかる構成により電圧電源回路１０は、図２に示すように、基準生成用電圧Ｖ２に生じている電源ノイズを、まず基準生成用電圧Ｖ２と共に第１５乃至第１９の分圧抵抗Ｚ１５乃至Ｚ１９を介して分圧することにより低減させる。そして電圧電源回路１０は、基準生成用電圧Ｖ２を分圧して得られた基準電圧Ｖｒｅｆ１０に残っている電源ノイズのうち、低域通過フィルタＬＰ１乃至ＬＰ４のカットオフ周波数ｆ１以上の電源ノイズを、当該低域通過フィルタＬＰ１乃至ＬＰ４により除去する。これにより電圧電源回路１０は、基準生成用電圧Ｖ２に対するＰＳＲＲが低下していても（すなわち、基準生成用電圧Ｖ２に対し電源ノイズが生じていても）、差動増幅器Ａ１０において基準電圧Ｖｒｅｆ１０に対するＰＳＲＲが特性変化周波数以上で急激に悪化することを回避することができる。その結果、電圧電源回路１０は、差動増幅器Ａ１０が基準電圧Ｖｒｅｆ１０と、分圧電圧Ｖｚ１０との差電圧をそのままゲイン倍しても、当該ゲイン倍した差電圧に基づいて生成する出力電圧Ｖｏｕｔ１０に対し電源ノイズに起因するリップルが生じてＰＳＲＲが悪化することを回避している。
【００４３】
これに加えて基準電圧値設定部１２では、各分圧比切替スイッチＳＷ１０乃至ＳＷ１３やマルチプレクサＭＵＸ１０を構成する回路素子に寄生容量が存在している。そして基準電圧値設定部１２では、当該基準電圧値設定部１２が動作するために電圧源等から供給される所定電圧値の動作電圧に対し電源ノイズが生じていると、かかる電源ノイズがその寄生容量を介して第１５乃至第１９の分圧抵抗Ｚ１５乃至Ｚ１９に流れ込む。その結果、基準電圧値設定部１２では、基準生成用電圧Ｖ２を分圧して生成した基準電圧Ｖｒｅｆ１０に対し、寄生容量から第１５乃至第１９の分圧抵抗Ｚ１５乃至Ｚ１９に流れ込んだ電源ノイズが重畳される場合がある。
【００４４】
しかしながら電圧電源回路１０では、基準電圧値設定部１２の寄生容量とフィルタ用コンデンサＣ１１とが電気的に接続されていることにより、当該寄生容量及びフィルタ用コンデンサＣ１１が、互いの接続中点を分圧点とし、かつ互いのインピーダンスの比を分圧点とする分圧抵抗として機能する。そして電圧電源回路１０では、電源ノイズの経路に対し、寄生容量が入力側に位置し、かつフィルタ用コンデンサＣ１１が出力側に位置している。このためフィルタ用コンデンサＣ１１の容量は、上述の差動増幅器Ａ１０の動作帯域を加味した選定に加えて、基準電圧値設定部１２の寄生容量よりも充分に大きい値に選定されている。これにより電圧電源回路１０は、寄生容量から流れ込み基準電圧Ｖｒｅｆ１０に重畳される電源ノイズを、当該寄生容量及びフィルタ用コンデンサＣ１１のインピーダンスの比（すなわち、分圧比）で分圧するようにしてほぼ除去している。
【００４５】
以上の構成において、電圧電源回路１０は、電圧供給回路から供給される基準生成用電圧Ｖ２を基準電圧値設定部１２の第１５乃至第１９の分圧抵抗Ｚ１５乃至Ｚ１９を介して、任意に選定された分圧比で分圧し、当該基準生成用電圧Ｖ２に生じている電源ノイズを低減させた分圧電圧を得る。そして電圧電源回路１０は、かかる分圧電圧に残っている電源ノイズを低域通過フィルタＬＰ１、……、ＬＰ３又はＬＰ４により除去して基準電圧Ｖｒｅｆ１０を得て、当該基準電圧Ｖｒｅｆ１０を差動増幅器Ａ１０の反転入力端子に供給する。また電圧電源回路１０は、出力端子Ｔｏｕｔ１０に発生させた出力電圧Ｖｏｕｔ１０を第１１及び第１２の帰還抵抗Ｚ１１及びＺ１２を介して分圧し、得られた分圧電圧Ｖｚ１０を差動増幅器Ａ１０の比反転入力端子に帰還させる。
【００４６】
これにより電圧電源回路１０は、差動増幅器Ａ１０において基準電圧Ｖｒｅｆ１０と分圧電圧Ｖｚ１０との差電圧を増幅し、当該増幅した差電圧を制御信号とし出力トランジスタＱ１０のゲートに供給してオン抵抗を制御することで、当該出力トランジスタＱ１０に流れるドレイン・ソース間電流の電流値を制御する。かくして電圧電源回路１０は、出力トランジスタＱ１０に流れるドレイン・ソース間電流に応じて出力端子Ｔｏｕｔ１０で所望の定電圧値でなる出力電圧Ｖｏｕｔ１０を生成する。
【００４７】
このようにして電圧電源回路１０は、差動増幅器Ａ１０の前段で基準生成用電圧Ｖ２を、任意に選定された分圧比で分圧して基準電圧Ｖｒｅｆ１０を生成することで、当該差動増幅器Ａ１０のゲインを一定に設定しても、出力電圧Ｖｏｕｔ１０の定電圧値に対する設定を可変し得る。そして電圧電源回路１０は、基準生成用電圧Ｖ２を分圧し、かつその分圧により得られる分圧電圧を低域通過フィルタＬＰ１、……、ＬＰ３又はＬＰ４に通すことで、かかる基準生成用電圧Ｖ２に生じていた電源ノイズを除去して基準電圧Ｖｒｅｆ１０を生成する。
【００４８】
以上の構成によれば、電圧電源回路１０において、電圧供給回路から供給される基準生成用電圧Ｖ２を基準電圧値設定部１２の第１５乃至第１９の分圧抵抗Ｚ１５乃至Ｚ１９を介して、任意に選定された分圧比で分圧し、得られた分圧電圧を、フィルタ用コンデンサＣ１１と、第３のノードＮ３から任意に選定された分圧点Ｐ１１、……、Ｐ１３又はＰ１４までの第１５の分圧抵抗Ｚ１５、……、第１７の分圧抵抗Ｚ１７又は第１８の分圧抵抗Ｚ１８とから形成される低域通過フィルタＬＰ１、……、ＬＰ３又はＬＰ４に通して基準電圧Ｖｒｅｆ１０を生成し、当該生成した基準電圧Ｖｒｅｆ１０を差動増幅器Ａ１０の反転入力端子に供給するようにしたことにより、電源ノイズを除去した基準電圧Ｖｒｅｆ１０と、分圧電圧Ｖｚ１０との差電圧を増幅するようにして出力電圧Ｖｏｕｔ１０を生成することができ、かくして基準生成用電圧Ｖ２に対し電源ノイズが生じていても出力電圧Ｖｏｕｔ１０に対し電源ノイズに起因したリップルが生じることを防止し、リップル除去率の低下を回避し得る電圧電源回路１０を実現することができる。
【００４９】
また電圧電源回路１０は、フィルタ用コンデンサＣ１１の容量が、基準電圧値設定部１２の回路素子に存在する寄生容量よりも充分に大きい値に選定されていることにより、当該基準電圧値設定部１２において基準電圧Ｖｒｅｆ１０に寄生容量から電源ノイズが回り込んで重畳されても、その寄生容量とフィルタ用コンデンサＣ１１とにより、当該基準電圧Ｖｒｅｆ１０に重畳された電源ノイズを除去することができ、かくしてリップル除去率の低下をさらに確実に回避することができる。
【００５０】
ところで従来の第１及び第２の電圧電源回路１（図５）及び２（図６）によれば、第１乃至第５の帰還抵抗Ｚ１乃至Ｚ５及び第６乃至第１０の帰還抵抗Ｚ６乃至Ｚ１０に対し出力電圧Ｖｏｕｔ１及びＶｏｕｔ２の帰還用の機能と、当該出力電圧Ｖｏｕｔ１及びＶｏｕｔ２の定電圧値に対する設定可変用の機能とを兼用して持たせている。そしてかかる第１及び第２の電圧電源回路１及び２では、動作特性上、入力端子Ｔｉｎ１０から第１乃至第５の帰還抵抗Ｚ１乃至Ｚ５及び第６乃至第１０の帰還抵抗Ｚ６乃至Ｚ１０にある程度の電流を流しており、その分、これら第１乃至第５の帰還抵抗Ｚ１乃至Ｚ５及び第６乃至第１０の帰還抵抗Ｚ６乃至Ｚ１０の抵抗値を余り大きくは選定することができない。
【００５１】
これに対して本実施の形態による電圧電源装置１０では、定電圧生成部１１の第１１及び第１２の帰還抵抗Ｚ１１及びＺ１２から、出力電圧Ｖｏｕｔ１０の定電圧値に対する設定可変用の機能を分離し、かかる出力電圧Ｖｏｕｔ１０の定電圧値に対する設定可変用の機能を有する第１５乃至第１９の分圧抵抗Ｚ１５乃至Ｚ１９を定電圧生成部１１の前段の基準電圧値設定部１２に設けるようにした。従って電圧電源回路１０では、これら第１５乃至第１９の分圧抵抗Ｚ１５乃至Ｚ１９に対し入力端子Ｔｉｎ１０から電流を流す必要がない分、当該第１５乃至第１９の抵抗Ｚ１５乃至Ｚ１９の抵抗値を、従来の第１及び第２の電圧電源回路１及び２の第１乃至第５の帰還抵抗Ｚ１乃至Ｚ５及び第６乃至第１０の帰還抵抗Ｚ６乃至Ｚ１０の抵抗値よりも大きく選定することができる。このため電圧電源回路１０では、基準電圧値設定部１２に流れる電流を低減させて当該基準電圧値設定部１２での消費電力を低減させることができる。また電圧電源回路１０では、第１５乃至第１９の分圧抵抗Ｚ１５乃至Ｚ１９の抵抗値を大きくすることにより、その分、かかる第１５乃至第１９の分圧抵抗Ｚ１５乃至Ｚ１９の抵抗値と、フィルタ用コンデンサＣ１１の容量との乗算結果の逆数に依存する低域通過フィルタＬＰ１乃至ＬＰ４のカットオフ周波数ｆ１を、低く設定することができる。従って電圧電源回路１０では、差動増幅器Ａ１０の動作帯域内で特性変化周波数が比較的低い場合でも、低域通過フィルタＬＰ１乃至ＬＰ４のカットオフ周波数ｆ１をかかる特性変化周波数とほぼ一致させるように容易に設定することができる。
【００５２】
また従来の第１及び第２の電圧電源回路１及び２によれば、当該第１及び第２の電圧電源回路１及び２の利得が１以上であり、外部から基準電圧Ｖｒｅｆ１及びＶｒｅｆ２が差動増幅器Ａ１及びＡ２に直接供給され、当該差動増幅器Ａ１及びＡ２がその基準電圧Ｖｒｅｆ１及びＶｒｅｆ２と分圧電圧Ｖｚ１及びＶｚ２との差電圧を増幅するため、かかる基準電圧Ｖｒｅｆ１及びＶｒｅｆ２よりも電圧値の高い出力電圧Ｖｏｕｔ１及びＶｏｕｔ２しか生成し得ない。これに対して本実施の形態による電圧電源回路１０では、従来の基準電圧Ｖｒｅｆ１及びＶｒｅｆ２に相当する基準生成用電圧Ｖ２を分圧して、出力電圧Ｖｏｕｔ１０の生成に用いる基準電圧Ｖｒｅｆ１０を生成しているため、従来の第１及び第２の電圧電源回路１及び２に比して、定電圧値の小さい出力電圧Ｖｏｕｔ１０を容易に生成することができ、かくして動作電圧値の比較的小さい負荷Ｌ１０に対しても、比較的小さい定電圧値の出力電圧Ｖｏｕｔ１０を容易に供給することができる。
【００５３】
さらに従来の第１及び第２の電圧電源回路１及び２によれば、出力電圧Ｖｏｕｔ１及びＶｏｕｔ２の定電圧値を可変するために差動増幅器Ａ１及びＡ２のゲインを可変しており、このようにゲインを可変すると、これに応じて当該差動増幅器Ａ１及びＡ２の周波数応答性能が変化する。このため従来の第１及び第２の電圧電源回路１及び２では、差動増幅器Ａ１及びＡ２において、可変可能な全てのゲインで周波数応答性能を満足するためには、かかる差動増幅器Ａ１及びＡ２の設計が著しく煩雑化する。これに対して本実施の形態による電圧電源回路１０では、差動増幅器Ａ１０のゲインを固定値としたため、出力電圧Ｖｒｅｆ１０の定電圧値に対する設定を可変し得るものの、従来の第１及び第２の電圧電源回路１及び２に比して差動増幅器Ａ１０の設計を格段的に簡易化することができる。
【００５４】
さらに従来の第１及び第２の電圧電源回路１及び２は、上述したように第１乃至第５の帰還抵抗Ｚ１乃至Ｚ５及び第６乃至第１０の帰還抵抗Ｚ６乃至Ｚ１０が本来の出力電圧Ｖｏｕｔ１及びＶｏｕｔ２に対する帰還用の機能に加えて、当該出力電圧Ｖｏｕｔ１及びＶｏｕｔ２の定電圧値に対する設定可変用の機能も兼用して持っている。このため個々の第１及び第２の電圧電源回路１及び２は、それぞれ１つのＩＣ（integrated circuit）チップとして生成されている。
【００５５】
これに対して本実施の形態による電圧電源回路１０では、上述したように定電圧生成部１１の第１１及び第１２の帰還抵抗Ｚ１１及びＺ１２から出力電圧Ｖｏｕｔ１０の定電圧値に対する設定可変用の機能を分離し、かかる出力電圧Ｖｏｕｔ１０の定電圧値に対する設定可変用の機能を有する第１５乃至第１９の分圧抵抗Ｚ１５乃至Ｚ１９を定電圧生成部１１の前段の基準電圧値設定部１２に設けるようにした。このため電圧電源回路１０では、定電圧生成部１１及び基準電圧値設定部１２をそれぞれ個別のＩＣチップとして生成することができる。そしてかかる電圧電源回路１０によれば、負荷Ｌ１０毎に定電圧生成部１１のみを用意し、基準電圧値設定部１２については、例えば出力電圧Ｖｏｕｔ１０の定電圧値に対する可変範囲が同一の定電圧生成部１１に対して兼用して用いることができる。従ってかかる電圧電源回路１０によれば、基準電圧値設定部１２をいくつかの定電圧生成部１１に対して兼用し得る分、従来の電圧電源回路１及び２に比して、携帯機器内の回路基板におけるこれら定電圧生成部１１及び基準電圧値設定部１２のＩＣチップに対する実装面積を格段的に小さくして当該回路基板を小型化し得ると共に、回路基板全体の消費電力も格段的に低減することができる。
【００５６】
なお上述の実施の形態においては、本発明による電源回路を図１乃至図４について上述した電圧電源回路１０に適用するようにした場合について述べたが、本発明はこれに限らず、かかる電圧電源回路１０とほぼ同様構成でなり、入力端子Ｔｉｎ１０を出力端子とし電源出力として出力電流を生成する電流電源回路に適用することもできる。
【００５７】
また上述の実施の形態においては、差動増幅器により基準電圧と分圧電圧との差電圧に基づいて制御される出力制御器として、図１乃至図４について上述したＰチャネルＭＯＳ型の出力トランジスタＱ１０を適用するようにした場合について述べたが、本発明はこれに限らず、ＮチャネルＭＯＳ型の出力トランジスタ等のように、この他種々の出力制御器を広く適用することができる。
【００５８】
さらに上述の実施の形態においては、基準生成用電圧の電圧供給点に接続された複数の分圧抵抗を有し、電圧供給点に供給される基準生成用電圧を複数の分圧抵抗を介して、任意に選定された分圧比で分圧することにより基準電圧を生成して差動増幅器の入力端子に供給する分圧手段として、図１乃至図４について上述した分割抵抗型の基準電圧値設定部１２を適用するようにした場合について述べたが、本発明はこれに限らず、ラダ−抵抗型の基準電圧値設定部等のように、フィルタ用コンデンサＣ１１と共に低域通過フィルタを形成し得る抵抗の設けられたものであれば、この他種々の構成の分圧手段を広く適用することができる。
【００５９】
さらに上述の実施の形態においては、分圧比切替スイッチを開閉制御する開閉制御手段として、図１乃至図４について上述したマルチプレクサＭＵＸ１０を適用するようにした場合について述べたが、本発明はこれに限らず、切替スイッチを開閉制御することができれば、この他種々の開閉制御手段を広く適用することができる。
【産業上の利用可能性】
【００６０】
本発明は、携帯電話機やＰＤＡ等の種々の機器に設けられた電源回路に利用することができる。
【図面の簡単な説明】
【００６１】
【図１】本発明による電圧電源回路の全体構成の一実施の形態を示すブロック図である。
【図２】電源ノイズを除去した基準電圧により生成される出力電圧の説明に供する略線図である。
【図３】分圧比切替スイッチによる分圧点の選定に応じて電圧電源回路に形成される低域通過フィルタの構成（１）を示すブロック図である。
【図４】分圧比切替スイッチによる分圧点の選定に応じて電圧電源回路に形成される低域通過フィルタの構成（２）を示すブロック図である。
【図５】従来の第１の電圧電源回路の構成を示すブロック図である。
【図６】従来の第２の電圧電源回路の構成を示すブロック図である。
【符号の説明】
【００６２】
１０……電圧電源回路、１１……定電圧生成部、１２……基準電圧値設定部、Ａ１０……差動増幅器、Ｃ１１……フィルタ用コンデンサ、ＭＵＸ１０……マルチプレクサ、Ｐ１０、Ｐ１１、Ｐ１２、Ｐ１３、Ｐ１４……分圧点、Ｑ１１……出力トランジスタ、ＳＷ１０、ＳＷ１１、ＳＷ１２、ＳＷ１３……分圧比切替スイッチ、Ｖｏｕｔ１０……出力電圧、Ｖｒｅｆ１０……基準電圧、Ｖｚ１０……分圧電圧、Ｖ２……基準生成用電圧、Ｚ１１……第１１の帰還抵抗、Ｚ１２……第１２の帰還抵抗、Ｚ１５……第１５の分圧抵抗、Ｚ１６……第１６の分圧抵抗、Ｚ１７……第１７の分圧抵抗、Ｚ１８……第１８の分圧抵抗、Ｚ１９……第１９の分圧抵抗。
【図１】
2006155100.tif 000006
【図２】
2006155100.tif 000007
【図３】
2006155100.tif 000008
【図４】
2006155100.tif 000009
【図５】
2006155100.tif 000010
【図６】
2006155100.tif 000011